(57)【要約】【課題】本発明は、加熱後に常温状態に置かれて反りの発生が予測される太陽電池モジュールを、平坦又は所望の湾曲形状にすることができるラミネート装置を提供する。【解決手段】ラミネート装置１０は、加熱後に常温状態に置かれて反りの発生が予測される太陽電池モジュール１のこのような反りと逆の反りを、加熱時及び真空時に太陽電池モジュール１に付与して成形を行うための反り付与手段２０を備えている。この反り付与手段２０としては、熱膨張係数の異なる２枚の板材２１，２２を貼り合わせたバイメタル構造体からなっている。バイメタル構造体２０は、金属であるから熱伝導率が高く、太陽電池モジュール１を早期に且つ均一に所定の温度にすることができる。これにより、成形時間の短縮と低コスト化を可能にしている。【選択図】図５
2010258380.tif 000002
【特許請求の範囲】
【請求項１】
加熱後に常温状態に置かれて反りの発生が予測される太陽電池モジュールを加熱する加熱手段と、真空下で前記太陽電池モジュールを加圧する加圧手段とを有するラミネート装置において、
前記太陽電池モジュールの前記反りと逆の反りを、加熱時に付与する反り付与手段を備えたことを特徴とするラミネート装置。
【請求項２】
前記反り付与手段は、熱膨張係数の異なる２枚の板材を貼り合わせたバイメタル構造体からなり、前記バイメタル構造体は、前記太陽電池モジュールに重なるように固定されることを特徴とする請求項１記載のラミネート装置。
【請求項３】
前記透明板はポリカーボネートからなり、前記バイメタル構造体は、透明板側の第１の板材と、これに対向する第２の板材とからなり、第１の板材に対して第２の板材の熱膨張係数が大きいことを特徴とする請求項２記載のラミネート装置。
【請求項４】
前記太陽電池モジュールと前記バイメタル構造体とを重ねあわせた状態で縁部を挟み込むクリップを更に備えたことを特徴とする請求項２又は３記載のラミネート装置。
【請求項５】
前記太陽電池モジュールと前記バイメタル構造体との間に挟み込まれるヒータ板を更に備えたことを特徴とする請求項２〜４の何れか一項に記載のラミネート装置。
【請求項６】
前記加熱手段としてのヒータープレートと前記バイメタル構造体との間に配置されると共に、熱伝導を有し且つ熱により変形可能であるスペーサを更に備えたことを特徴とする請求項２〜５の何れか一項に記載のラミネート装置。
【請求項７】
透明板と封止材と太陽電池セルとを積層した状態で、真空下で加熱及び加圧を行って、太陽電池モジュールを製造する方法において、
加熱後に常温状態に置かれて反りの発生が予測される太陽電池モジュールの前記反りと逆に反らせた状態で前記加熱及び前記加圧を行うことを特徴とする太陽電池モジュールの製造方法。
【発明の詳細な説明】
【技術分野】
【０００１】
本発明は、太陽電池モジュールを製造するためのラミネート装置及び太陽電池モジュールの製造方法に関するものである。
【背景技術】
【０００２】
従来において、各種ラミネート装置が提案されている。例えば、特開２０００−３４９３０９号公報、特開２０００−１０１１１９号公報、特開２００４−２００５１８号公報等に記載された発明は、予熱工程やヒータ制御を追加することで温度の均一化を図っている。特開２００４−３１７３９号公報に記載された発明のように、モジュール周縁部を真空吸着させたり、特開２００４−１７９２６１号公報に記載されている発明のように、外周部を爪で固定したりして、加熱時の反りを規制し、ヒータ板との密着性を向上させている。特開２００７−２４２６７７号公報に記載されている発明では、剛性のある上下プレス体と枠とにより変形を規制している。
【先行技術文献】
【特許文献】
【０００３】
【特許文献１】特開２０００−３４９３０９号公報、
【特許文献２】特開２０００−１０１１１９号公報
【特許文献３】特開２００４−２００５１８号公報
【特許文献４】特開２００４−０３１７３９号公報
【特許文献５】特開２００４−１７９２６１号公報
【特許文献６】特開２００７−２４２６７７号公報
【特許文献７】特開２０００−１０１１１７号公報
【特許文献８】特開２００１−２９３７８３号公報
【特許文献９】特開２００２−１４４４３１号公報
【発明の概要】
【発明が解決しようとする課題】
【０００４】
前述した従来のラミネート装置では、ラミネート時にＥＶＡ架橋温度が１４０℃以上の高温で各構成部品が加熱接着される時の反り対策がなされている。しかしながら、太陽光の入射を可能にした前面板(透明板)の材質を、軽量化のために、ガラスに代えてポリカーボネートなどの樹脂にした場合、従来のラミネート装置で加熱成形した太陽電池モジュールは、成形完了後に常温に戻される時、各部材の熱膨張率の差の影響を多大に受けて、反りが発生するといった問題点があった。
【０００５】
本発明は、加熱後に常温状態に置かれて反りの発生が予測される太陽電池モジュールを、平坦又は所望の湾曲形状にすることができるラミネート装置及び太陽電池モジュールの製造方法を提供することを目的とする。
【課題を解決するための手段】
【０００６】
本発明は、加熱後に常温状態に置かれて反りの発生が予測される太陽電池モジュールを加熱する加熱手段と、真空下で太陽電池モジュールを加圧する加圧手段とを有するラミネート装置において、
太陽電池モジュールの反りと逆の反りを、加熱時に付与する反り付与手段を備えたことを特徴とする。
【０００７】
このラミネート装置においては、加熱後に常温状態に置かれて反りの発生が予測される太陽電池モジュールのこのような反りと逆の反りを、加熱時及び真空時に装置内で太陽電池モジュールに付与して成形を行っている。従って、ラミネート装置から取り出された太陽電池モジュールは、常温に戻る際に平坦な状態に戻るように変形し、最終的に常温下で平坦な状態になる。また、製品としての太陽電池モジュールは、常温下で平坦なものと湾曲したものとがあり、湾曲状態の調整用として反り付与手段を利用することもできる。なお、反り付与手段によって、ラミネート装置内で太陽電池モジュールをどの程度反らせるかについては、太陽電池モジュールに採用されている部品の熱膨張率によって適宜決定される。
【０００８】
また、反り付与手段は、熱膨張係数の異なる２枚の板材を貼り合わせたバイメタル構造体からなり、バイメタル構造体は、太陽電池モジュールに重なるように固定されると好適である。
反り付与手段としてバイメタル構造体を採用すると、加熱時の反り量を材質の変更によって容易に変えることができ、しかも、構造が簡単で、従来からあるラミネート装置への適用が容易である。さらには、バイメタル構造体は、金属であるから熱伝導率が高く、ラミネート装置内で太陽電池モジュールが反った場合でも、加熱手段の熱を均一に太陽電池モジュールに伝えることができるので、太陽電池モジュールの均一な加熱を可能にし、しかも、太陽電池モジュールと加熱手段との間の熱伝導が改善されることで、太陽電池モジュールを早期に且つ均一に所定の温度にすることができる。これにより、成形時間の短縮と低コスト化を可能にしている。
【０００９】
また、透明板はポリカーボネートからなり、バイメタル構造体は、透明板側の第１の板材と、これに対向する第２の板材とからなり、第１の板材に対して第２の板材の熱膨張係数が大きいと好適である。
透明板にポリカーボネートを採用することで、太陽電池モジュールの軽量化が可能であり、このような材質を利用すると、加熱後に常温状態に置かれた場合に予測される反りは、透明板側が凹むような反りであるから、透明板側の第１の板材の熱膨張係数が小さいバイメタル構造体を利用する。
【００１０】
また、太陽電池モジュールとバイメタル構造体とを重ねあわせた状態で縁部を挟み込むクリップを更に備えると好適である。
クリップによって太陽電池モジュールとバイメタル構造体とを簡単に圧着させることができ、作業効率を向上させることができる。
【００１１】
また、太陽電池モジュールとバイメタル構造体との間に挟み込まれるヒータ板を更に備えると好適である。
このような構成を採用すると、透明板やバイメタル構造体が厚い場合に、熱が封止部に伝わり難くなるので、このような構成は効果的であるといえる。真空工程でヒータ板をＯＦＦにし、プレス工程でヒータ板をＯＮにすると、封止部の架橋を、より確実にすることが可能となる。
【００１２】
また、加熱手段としてのヒータープレートとバイメタル構造体との間に配置されると共に、熱伝導を有し且つ熱により変形可能であるスペーサを更に備えると好適である。
このような構成を採用すると、ヒータープレートとバイメタル構造体との間の隙間をスペーサで埋めることができるので、ヒータープレートの熱をバイメタル構造体に確実に且つ均一に伝達することができ、太陽電池モジュールの成形時間の短縮を可能にする。
【００１３】
本発明は、透明板と封止材と太陽電池セルとを積層した状態で、真空下で加熱及び加圧を行って、太陽電池モジュールを製造する方法において、
加熱後に常温状態に置かれて反りの発生が予測される太陽電池モジュールの反りと逆に反らせた状態で加熱及び加圧を行うことを特徴とする。
【００１４】
このような製造方法においては、加熱後に常温状態に置かれて反りの発生が予測される太陽電池モジュールのこのような反りと逆の反りを、加熱時及び真空時に装置内で太陽電池モジュールに付与して成形を行っている。従って、ラミネート装置から取り出された太陽電池モジュールは、常温に戻る際に平坦な状態に戻るように変形し、最終的に常温下で平坦な状態になる。また、製品としての太陽電池モジュールは、常温下で平坦なものと湾曲したものとがあり、湾曲状態の調整をも可能にしている。なお、ラミネート装置内で太陽電池モジュールをどの程度反らせるかについては、太陽電池モジュールに採用されている部品の熱膨張率によって適宜決定される。
【発明の効果】
【００１５】
本発明によれば、加熱後に常温状態に置かれて反りの発生が予測される太陽電池モジュールを、平坦又は所望の湾曲形状にすることができる。
【図面の簡単な説明】
【００１６】
【図１】本発明に係るラミネート装置によって製造される太陽電池モジュール及びラミネート装置に利用されるバイメタル構造体を示す分解斜視図である。
【図２】本発明に係るラミネート装置の一実施形態を示す断面図である。
【図３】バイメタル構造体を示す斜視図である。
【図４】クリップを示す側面図である。
【図５】太陽電池モジュールの製造工程を示す断面図である。
【図６】バイメタル構造体に適用される材料を示す表である。
【図７】バイメタル構造体とプレス圧との関係を示すグラフである。
【図８】太陽電池モジュールの他の製造方法を示す断面図である。
【図９】(ａ)は、本発明に係るラミネート装置に適用されるヒータ板を示す斜視図、(ｂ)は、ヒータ板を適用したラミネート装置を示す断面図である。
【図１０】本発明に係るラミネート装置に適用されるスペーサを示す断面図である。
【発明を実施するための形態】
【００１７】
以下、図面を参照しつつ本発明に係るラミネート装置及び太陽電池モジュールの製造方法の好適な実施形態について詳細に説明する。
【００１８】
図１に示すように、スーパーストレート型太陽電池モジュール１は、自動車のルーフや家屋の屋根などに設置され、汎用性が高く、広範囲な太陽光発電を可能にしている。この太陽電池モジュール１は、太陽光の入射を可能にした透明な前面板２を有する。一般的な前面板２は、ソーダガラス、ホウケイ酸ガラス、石英ガラス、白板強化ガラスなどのガラス系が利用されているが、この実施形態で利用される前面板２は、軽量化のためにポリカーボネートが採用されている。
【００１９】
この前面板２に固着された封止部３内には、マトリックス状に配列される片面受光型太陽電池セル４が封入され、この封止部３に利用される封止材としては、エチレン−酢酸ビニル共重合体（ＥＶＡ）、ポリエチレン、ポリビニルブチラール、ポリアリレート、ノルボネン系環状ポリオレフィン等が好ましい。
【００２０】
また、セル４の種類は、単結晶Ｓｉセル、多結晶Ｓｉセル、薄膜Ｓｉセル、III−Ｖ族セル、化合物系セル、有機セルなどがある。セル４を等間隔に配列し、幅２ｍｍのニッケルメッキされた銅インターコネクタの両端部を鉛フリーハンダによって各セル４に固定し、セル４を電気的に直列又は並列接続することで、梯子状のストリングＳが構成される。
【００２１】
そして、前面板２に対面するように、封止部３の裏面側には、薄い樹脂(ＰＥＴ)製のバックシート５が配置され、防湿対策、電気的保護がなされている。このバックシート５の背面側には、出力取り出し用の端子ボックス等が配置されている。なお、このバックシート５に代えて、ステンレス、アルミ等の金属からなる反射板を封止部３に固着させてもよい。
【００２２】
フィルム状の封止部３は、バックシート５側に固着される第１の封止部３ａと、前面板２に固着される第２の封止部３ｂとからなり、第１の封止部３ａと第２の封止部３ｂとで太陽電池セル４を挟み込むようにして、太陽電池モジュール１内に太陽電池セル４を封止させている。第１及び第２の封止部３ａ,３ｂは、Ｔダイ押出し加工により加熱ロールを用いてフィルム状に成形されている。
【００２３】
図２に示すように、ラミネート装置１０は、開閉自在な上蓋１１ａと下側本体部１１ｂとからなる筐体１１を備え、上蓋１１ａには、ゴムシートからなるダイヤフラム(加圧手段)１２の周縁が固定され、下側本体１１ｂには、加熱手段１３が固定されている。この加熱手段１３は電気ヒータであり、この電気ヒータ１３の上面には、ヒータープレート１３ａが配置されている。
【００２４】
筐体１１内のダイヤフラム１２を境にした上チャンバー１４ａと真空ポンプ１５とは配管により連結され、この配管の途中には、大気への開放を可能にした切替弁１６が設けられている。同様に、ダイヤフラム１２を境にした下チャンバー１４ｂと真空ポンプ１５とは配管により連結され、この配管の途中には、大気への開放を可能にした切替弁１７が設けられている。
【００２５】
更に、このラミネート装置１０は、加熱後に常温状態に置かれて反りの発生が予測される太陽電池モジュール１のこのような反りと逆の反りを、加熱時及び真空時に太陽電池モジュール１に付与して成形を行うための反り付与手段２０を備えている。この反り付与手段２０としては、図３に示すように、熱膨張係数の異なる２枚の板材２１，２２を貼り合わせたバイメタル構造体からなっている。
【００２６】
樹脂系の前面板２をもった太陽電池モジュール１は、ラミネート装置で加熱成形した後に常温に戻される時、各部材の熱膨張率の差、特にストリングＳとの熱膨張率の差の影響を多大に受けて、反りが発生する。このような反りに対して、従来では、オモリを載せることでその反りを抑制していた。
【００２７】
このオモリの代わりに、ラミネート装置１０では、バイメタル構造体２０が採用されている。バイメタル構造体２０は、低熱膨脹係数の第１の板材２１と高熱膨張係数の第２の板材２２とを貼り合わせることで、１４０〜１５０℃の加熱時に図３(ｂ)に示されるように反る。
【００２８】
この反りを利用して、太陽電池モジュール１の製造が行われる。また、図４に示すように、太陽電池モジュール１とバイメタル構造体２０とを重ねあわせた状態で縁部をクリップ２３で挟み込むことで、製造時において、太陽電池モジュール１とバイメタル構造体２０とが離れることなく、太陽電池モジュール１の前面板２をバイメタル構造体２０に常に圧着させておくことができる。
【００２９】
このクリップ２３は、弾性を有する耐熱性の樹脂又は金属からなり、Ｕ字状に形成されている。クリップ２３の両遊端には、凸部２３ａがそれぞれ形成され、一方の凸部２３ａは、バックシート５に押圧され、他方の凸部２３ａは、バイメタル構造体２０の周縁に形成された凹部２０ａ内に装着されている。このようなクリップ２３を利用することで、太陽電池モジュール１とバイメタル構造体２０とをワンタッチで簡単に圧着させることができ、作業効率を向上させることができる。
【００３０】
また、ラミネート装置１０は、下チャンバー１４ｂ内のヒータープレート１３ａ上でバイメタル構造体２０を包囲するように配置された高さ調整台２５を備えている。この高さ調整台２５の高さは、バイメタル構造体２０の反りに合わせるように調整されており、ダイヤフラム１２が不必要に伸び過ぎないようにしている。
【００３１】
次に、太陽電池モジュール１の製造方法(ラミネート方法)について説明する。
【００３２】
上蓋１１ａを開けた後、太陽電池モジュール１の前面板２にバイメタル構造体２０を密着させた状態で、ラミネート装置１０のヒータープレート１３ａ上に、バイメタル構造体２０、前面板２、第２の封止部３ｂ、太陽電池セル４を連結したストリングＳ、第１の封止部３ａ、バックシート５をこの順に載置させる。そして、クリップ２３でそれぞれの部材を圧着させる。
【００３３】
このような状態で、図５(ａ)に示すように、上蓋１１ａを閉める。その後、図５(ｂ)に示すように、ヒータープレート１３ａを加熱させると同時に、上チャンバー１４ａを大気に開放した状態で、下チャンバー１４ｂを真空ポンプ１５によって真空引きする。これにより、ダイヤフラム１２のプレス圧によって太陽電池モジュール１及びバイメタル構造体２０は、ヒータープレート１３ａに強く押し付けられる。
【００３４】
加熱所期状態で、太陽電池モジュール１及びバイメタル構造体２０は、反りが無い状態であるが、ヒータープレート１３ａからの伝熱により、バイメタル構造体２０が徐々にバイメタル変形を始め、同じく前面板２も上下面の温度差から同様の反りが開始される。
【００３５】
加熱から、ある時間が経過すると、前面板２の上下面温度差が最大となるポイントがあり、一時的に前面板２の反りがバイメタル構造体２０の反りより大きくなる可能性もあるが、クリップ２３を利用しているので、変形は規制され、バイメタル構造体２０との密着性は確保され、封止部３の温度を均一に保つ効果が得られる。これは、ヒートスポットによる封止部(ＥＶＡ)３の部分的な流動を防止する。バイメタル構造体２０がある場合と無い場合では、バイメタル構造体２０で反りを与えた状態の方が、封止部(ＥＶＡ)３の密着性は良好となって、均一な加熱が促進され、これによって、封止部(ＥＶＡ)３を確実に脱気することが可能であり、セル４の破損も防止することが出来る。
【００３６】
また、ダイヤフラム１２によりプレスする際、真空経過時間が不足している場合には、封止部(ＥＶＡ)３の脱気不足から、気泡が発生するという不具合があり、封止部(ＥＶＡ)３が熱で十分に軟質化されていない場合等にはセル４の割れも発生するので、熱伝導率の良いバイメタル構造体２０を前面板２と密着させることは、封止部(ＥＶＡ)３の均一な加熱を確保する上で効果的である。
【００３７】
バイメタル構造体２０の利用により、真空工程において封止部(ＥＶＡ)３の予熱温度の不均一性を防止することができるため、架橋率のバラツキが発生し難く、封止部(ＥＶＡ)３の剥離に対する耐久信頼性が向上する。
【００３８】
バイメタル構造体２０は金属製のため、熱伝導性が前面板２や封止部(ＥＶＡ)３等よりも非常に良好であることが大きな要因となっている。例えば、バイメタル構造体２０はＦｅ系金属からなり、この熱伝導率は、４５Ｗ／ｍ・Ｋ、ポリカーボネートからなる前面板２の熱伝導率は、０．１９Ｗ／ｍ・Ｋ、封止部(ＥＶＡ)３の熱伝導率は、０．２１Ｗ／ｍ・Ｋであることからも分かる。
【００３９】
太陽電池モジュール１をラミネート装置１０内で十分に加圧及び加熱した後、下チャンバ１４ｂを大気に開放し、上蓋１１ａを開けて太陽電池モジュール１とバイメタル構造体２０を取り出す。そして、クリップ２３を外側に引っ張るように外し、太陽電池モジュール１からバイメタル構造体２０を取り外し、この状態で、太陽電池モジュール１を大気中に放置すると、太陽電池モジュール１は、常温に戻る際に平坦な状態に戻るように変形し、最終的に常温下で平坦な状態になる。
【００４０】
なお、バイメタル構造体２０によって、ラミネート装置１０内で太陽電池モジュール１をどの程度反らせるかについては、太陽電池モジュール１に採用されている部品、特にセル４の熱膨張率によって適宜決定される。
【００４１】
バイメタル構造体２０は、低熱膨脹係数の第１の板材２１と高熱膨張係数の第２の板材２２との貼り合わせによって構成され、第１及び第２の板材２１，２２には、熱伝導性の良い部材が利用され、図６に示されるように、低膨張材として３６％Ｎｉ−Ｆｅ、４６％Ｎｉ−Ｆｅ、高膨張材としてＮｉや７０％Ｍｎ−Ｎｉ−Ｃｕ材などがある。
【００４２】
また、ラミネート装置１０により太陽電池モジュール１を製造する際、ダイヤフラム１２によるプレス圧が、バイメタル構造体２０の反りを押し戻すような力として作用するため、バイメタル構造体２０の厚みを変えることで、その剛性を最適にする設計がなされる。
【００４３】
図７には、プレス圧とバイメタル構造体２０の反り量との関係を示しており、バイメタル構造体２０の第１の例の材質(Ａ)では、３６％Ｎｉ−Ｆｅと２０％Ｎｉ−Ｍｏ−Ｆｅとの組み合わせ、第２の例の材質(Ｂ)では、３６％Ｎｉ−Ｆｅと７０％Ｍｎ−Ｎｉ−Ｃｕとの組み合わせになっている。そして、それぞれの材質(Ａ)，(Ｂ)の厚みが７．５ｍｍの場合と、１０ｍｍの場合とで実験した。なお、バイメタル構造体２０の大きさは７００×７００ｍｍ、低膨張材と高膨張材との厚みは同じになっている。
【００４４】
図７から明らかなように、これら材質(Ａ)(Ｂ)を所定の温度下で反らせ、０〜１×１００ｋＰａの圧力範囲内で材質(Ａ)(Ｂ)の反り量の変化を検討した結果、材質(Ａ)と材質(Ｂ)とでは、何れも１０ｍｍ厚の場合がプレス圧による反り量の変化が少なかった。従って、ダイヤフラム１２によるプレス圧は、１００ｋＰａであるので、バイメタル構造体２０は１０ｍｍ程度の厚みが好適である。
【００４５】
なお、ポリカーボネートからなる前面板２を備えた太陽電池モジュール１の反りは、ポリカーボネートの熱膨張率が太陽電池シリコンセル４に対し大きいことに起因しているが、太陽電池モジュール１の反り量は、モジュール１の構成部材の材料物性である熱膨張率やヤング率、そして、各部材の寸法（特に肉厚）等に左右されるため、バイメタル構造体２０の材質や肉厚等は、状況に応じて最適設計がなされることは言うまでもない。
【００４６】
本発明は、前述した実施形態に限定されないことは言うまでもない。
【００４７】
図８に示すように、バイメタル構造体２０の反り方向を天地で逆転させて、前面板２とバイメタル構造体２０とでセル４を挟むようにして、太陽電池モジュール１を製造してもよい。この方法ではポリカーボネートからなる前面板２が上チャンバーのダイヤフラム１２のプレス圧を受けるようになる。
【００４８】
図９に示すように、バイメタル構造体２０と前面板２との間にラバーヒーター(ヒータ板)３０を介装させてもよい。このラバーヒーター３０は、ラミネート装置１０のヒータープレート１３ａとは温度制御が分離されており、真空工程でＯＦＦにし、プレス工程でＯＮにすると、補助的な加熱として作用させることができ、封止部(ＥＶＡ)３の架橋を、より確実にすることが可能となる。特にポリカーボネートの板厚が厚い場合には効果的である。また、このラバーヒーター３０は、発熱線を耐熱性のあるシリコンゴムシートで挟み込んだ柔軟性があるものが好適であり、確実にフィットさせることができる。
【００４９】
図１０に示すように、バイメタル構造体２０とラミネート装置１０のヒータープレート１３ａとの間に、熱伝導性が良好で熱による変形が可能なスペーサ４０を介装させてもよい。このスペーサ４０は、緩衝部材として機能し、ヒータープレート１３ａの熱がバイメタル構造体２０へ確実に且つ均一に伝わり易くなるので、ラミネータ工程の時間短縮が図られる。このスペーサ４０の例としては、高熱伝導性シリコンゴムや液体金属をＳＵＳ等の薄肉部材で封止したウォータベットのようなものである。この液体金属には、水銀が好適である。
【００５０】
図示はしないが、バイメタル構造体２０を構成する低膨張材と高膨張材の厚み比を、中心部と周縁部で変化させることで、反りのプロファイルを細かく変更することもできる。また、中心部と周縁部で低膨張材と高膨張材とを反転させたようなバイメタル構造体２０の場合、中心部から周縁部に向かって、逆反りへと反転させることも可能である。
【００５１】
製品としての太陽電池モジュール１は、常温下で平坦なものと、湾曲したものとがあり、湾曲状態の調整用として反り付与手段２０を利用することもできる。
【００５２】
前面板２の材質としては、ポリカーボネートに限定されることなく、アクリルなどであってもよい。
【符号の説明】
【００５３】
１…太陽電池モジュール、２…前面板(透明板)、３…封止部、４…セル、１０…ラミネート装置、１２…ダイヤフラム(加圧手段)、１３…電気ヒータ(加熱手段)、２０…バイメタル構造体(反り付与手段)、２１…第１の板材、２２…第２の板材、２３…クリップ、３０…ラバーヒーター(ヒータ板)、４０…スペーサ。
【図１】
2010258380.tif 000003
【図２】
2010258380.tif 000004
【図３】
2010258380.tif 000005
【図４】
2010258380.tif 000006
【図５】
2010258380.tif 000007
【図６】
2010258380.tif 000008
【図７】
2010258380.tif 000009
【図８】
2010258380.tif 000010
【図９】
2010258380.tif 000011
【図１０】
2010258380.tif 000012